(57)【要約】【課題】  トナー画像が転写された記録媒体を、加熱定着部材と加圧部材との間で加熱・加圧させて、トナー画像を記録媒体に定着させる定着装置において、加熱定着部材における熱を有効に利用して、定着装置における消費電力を十分に低減できるようにする。【解決手段】  トナー画像が転写された記録媒体Sを、加熱定着部材21と加圧部材22との間で加熱・加圧させて、トナー画像を記録媒体Sに定着させる定着装置20において、定着用ハウジング23を加熱定着部材21の外周側に設けると共に、加熱定着部材21と対面する定着用ハウジング23の内面側に反射部材23ａを設け、送風装置25によって送風される空気を、定着用ハウジング23と加熱定着部材21との間を通して循環させるようにした。【選択図】  図２
2016224336.tif 000002
【特許請求の範囲】
【請求項１】
加熱定着部材とこの加熱定着部材と対向して設けられた加圧部材との間で、トナー画像が転写された記録媒体を加熱・加圧させて、トナー画像を記録媒体に定着させる定着装置において、定着用ハウジングを前記の加熱定着部材の外周側に設けると共に、前記の加熱定着部材と対面する定着用ハウジングの内面側に反射部材を設け、送風装置によって送風される空気を、前記の定着用ハウジングと加熱定着部材との間を通して循環させることを特徴とする定着装置。
【請求項２】
請求項１に記載の定着装置において、前記の加圧部材の外周側に加圧部材側ハウジングを設け、送風装置によって送風される空気を、前記の定着用ハウジングと加熱定着部材との間から、前記の加圧部材側ハウジングと加圧部材との間を通して循環させることを特徴とする定着装置。
【請求項３】
請求項２に記載の定着装置において、前記の加圧部材と対面する加圧部材側ハウジングの内面側に反射部材を設けたことを特徴とする定着装置。
【請求項４】
請求項１に記載の定着装置において、前記の定着用ハウジングの外周側に外周側ハウジングを設け、送風装置によって送風される空気を、前記の定着用ハウジングと加熱定着部材との間から、前記の外周側ハウジングと定着用ハウジングとの間を通して循環させることを特徴とする定着装置。
【請求項５】
請求項４に記載の定着装置において、前記の外周側ハウジングの内面側に反射部材を設けたことを特徴とする定着装置。
【請求項６】
請求項１〜請求項５の何れか１項に記載の定着装置において、送風装置によって送風される空気を循環させる循環路内に、フィルター部材を設けたことを特徴とする定着装置。
【請求項７】
請求項６に記載の定着装置において、送風装置によって送風される空気を循環させる循環路内に、循環される空気を前記のフィルター部材に導く案内部材を設けたことを特徴とする定着装置。
【請求項８】
請求項１〜請求項７の何れか１項に記載の定着装置において、送風装置によって送風されて循環される空気を外部に排気させる排気装置を設けたことを特徴とする定着装置。
【請求項９】
トナー画像を記録媒体に定着させる定着装置を備えた画像形成装置において、請求項１〜請求項８の何れか１項に記載した定着装置を用いたことを特徴とする画像形成装置。
【発明の詳細な説明】
【技術分野】
【０００１】
本発明は、加熱定着部材とこの加熱定着部材と対向して設けられた加圧部材との間で、トナー画像が転写された記録媒体を加熱・加圧させて、トナー画像を記録媒体に定着させる定着装置及びこのような定着装置を備えた画像形成装置に関するものである。特に、前記のような定着装置において、加熱定着部材における熱を有効に利用して、定着装置における消費電力を十分に低減できるようにした点に特徴を有するものである。
【背景技術】
【０００２】
従来から、複写機、プリンター、ファクシミリ及びこれらの複合機等の電子写真方式を用いた画像形成装置においては、一般に、感光体等の像担持体からトナー画像が転写された記録媒体を定着装置に導き、この定着装置においてトナー画像を記録媒体に定着させるようにしている。
【０００３】
そして、このような定着装置としては、一般に、加熱定着部材とこの加熱定着部材と対向して設けられた加圧部材との間で、トナー画像が転写された記録媒体を加熱・加圧させて、トナー画像を記録媒体に定着させるようにしたものが使用されている。
【０００４】
しかし、従来の定着装置においては、トナー画像が転写された記録媒体を加熱・加圧させる加熱定着部材における熱が有効に利用されずに、外部に放出されてしまい、定着装置の消費電力を低減させることができず、また前記のように放出された熱によって定着装置の周辺の温度が上昇して画像形成に悪影響を及ぼすという問題があった。
【０００５】
また、従来においては、加熱定着の過程で発生した水蒸気が定着装置の外部に漏洩するのを抑制すると共に、凝縮して容易に取り出しながら、余分な排熱が少なくなり省資源で、オフィス環境も悪化することの無い定着装置として、特許文献１に示されるように、記録媒体の搬送経路を覆うカバー部材を設け、このカバー部材内にトナー画像が転写された記録媒体を加熱・加圧させる加熱定着部材と加圧部材とからなる定着手段を設け、加熱定着時に発生する水蒸気を含む空気を、空気吸引手段により吸引させて還流ダクトにおける循環流路内で循環させ、循環流路内を循環される水蒸気を含む空気の熱を放熱手段によって外部に放熱させるようにしたものが提案されている。
【０００６】
しかし、前記の特許文献１に示されるものにおいても、加熱定着部材における熱を有効に利用することはできず、定着装置の消費電力を低減させることができない等の問題が依然として存在した。
【先行技術文献】
【特許文献】
【０００７】
【特許文献１】特開２００６−５８６９５号公報
【発明の概要】
【発明が解決しようとする課題】
【０００８】
ここで、トナー画像が転写された記録媒体を加熱・加圧させる加熱定着部材における熱を有効に利用するため、前記の加熱定着部材の外周側に定着用ハウジングを設け、加熱定着部材と対面するこの定着用ハウジングの内面側に反射部材を設けて、この反射部材により加熱定着部材から放出された熱を反射させて、加熱定着部材の保温性を高め、これにより定着装置の消費電力を低減させるようにしたものが考えられる。
【０００９】
しかし、前記のように加熱定着部材とこの加熱定着部材と対向して設けられた加圧部材との間で、トナー画像が転写された記録媒体を加熱・加圧させて、トナー画像を記録媒体に定着させるようにした場合、この定着動作時に、揮発性有機化合物(Volatile Organic Compounds：VOC)、超微粒子（Ultrafine Particles：UFP）、トナー粉、紙粉等の異物が発生し、これらの異物が定着用ハウジングの内面側に設けられた反射部材の面に付着し、加熱定着部材から放出された熱が、このように付着した異物に吸熱されて反射されなくなり、これにより加熱定着部材の保温性を十分に向上させることができなくなって、定着装置の消費電力を十分に低減させることが困難になるという問題があった。
【００１０】
そして、本発明は、前記のようにトナー画像が転写された記録媒体を加熱・加圧させる加熱定着部材の外周側に定着用ハウジングを設けると共に、加熱定着部材と対面するこの定着用ハウジングの内面側に反射部材を設け、この反射部材により加熱定着部材から放出された熱を反射させるようにした定着装置において、定着用ハウジングの内面側に設けられた反射部材の面に、揮発性有機化合物等の異物が付着するのを抑制し、加熱定着部材の保温性を十分に向上させて、定着装置の消費電力を十分に低減できるようにすることを課題とするものである。
【課題を解決するための手段】
【００１１】
本発明に係る定着装置においては、前記のような課題を解決するため、加熱定着部材とこの加熱定着部材と対向して設けられた加圧部材との間で、トナー画像が転写された記録媒体を加熱・加圧させて、トナー画像を記録媒体に定着させる定着装置において、定着用ハウジングを前記の加熱定着部材の外周側に設けると共に、前記の加熱定着部材と対面する定着用ハウジングの内面側に反射部材を設け、送風装置によって送風される空気を、前記の定着用ハウジングと加熱定着部材との間を通して循環させるようにした。
【００１２】
そして、本発明の定着装置のように、トナー画像が転写された記録媒体を加熱・加圧させる加熱定着部材の外周側に定着用ハウジングを設けると共に、加熱定着部材と対面する定着用ハウジングの内面側に反射部材を設けると、前記のように加熱定着部材から放出された熱がこの反射部材により反射されて、加熱定着部材の保温性が高められる。
【００１３】
また、前記のように送風装置によって送風される空気を、定着用ハウジングと加熱定着部材との間を通して循環させるようにすると、このように循環される空気に伴って、定着動作時に発生した揮発性有機化合物等の異物が循環されるようになり、このような異物が、定着用ハウジングの内面側に設けられた反射部材の面に付着するのが防止されるようになる。
【００１４】
ここで、本発明の定着装置においては、前記の加圧部材の外周側に加圧部材側ハウジングを設け、送風装置によって送風される空気を、前記の定着用ハウジングと加熱定着部材との間から、前記の加圧部材側ハウジングと加圧部材との間を通して循環させるようにすることができる。そして、このように加圧部材の外周側に加圧部材側ハウジングを設ける場合に、定着装置全体としての保温性を高めるために、加圧部材と対面する加圧部材側ハウジングの内面側に反射部材を設けることが好ましい。
【００１５】
また、本発明の定着装置においては、前記の定着用ハウジングの外周側に外周側ハウジングを設け、送風装置によって送風される空気を、前記の定着用ハウジングと加熱定着部材との間から、前記の外周側ハウジングと定着用ハウジングとの間を通して循環させるようにすることができる。そして、このように定着用ハウジングの外周側に外周側ハウジングを設ける場合に、定着装置全体としての保温性を高めるために、外周側ハウジングの内面側に反射部材を設けることが好ましい。
【００１６】
また、前記のように送風装置によって送風される空気を循環させて、定着動作時に発生した揮発性有機化合物等の異物が、定着用ハウジング等の内面側に設けられた反射部材の面に付着するのを抑制するにあたり、送風装置によって送風される空気を循環させる循環路内にフィルター部材を設け、このフィルター部材によって定着時に発生した揮発性有機化合物等の異物を回収させるようにすることができる。また、このように循環路内にフィルター部材を設けた場合において、前記の揮発性有機化合物等の異物が送風される空気によって適切にフィルター部材に導かれるように、循環路内において循環される空気を前記のフィルター部材に導く案内部材を設けることが好ましい。
【００１７】
また、本発明の定着装置においては、前記の送風装置によって送風されて循環される空気を外部に排気させる排気装置を設けるようにすることができる。
【００１８】
また、本発明に係る画像形成装置においては、トナー画像を記録媒体に定着させるのに前記のような定着装置を用いるようにした。
【発明の効果】
【００１９】
本発明の定着装置においては、トナー画像が転写された記録媒体を加熱・加圧させる加熱定着部材の外周側に定着用ハウジングを設けると共に、加熱定着部材と対面する定着用ハウジングの内面側に反射部材を設け、また送風装置によって送風される空気を、前記の定着用ハウジングと加熱定着部材との間を通して循環させるようにしたため、前記のように加熱定着部材から放出された熱が前記の反射部材により反射されて、加熱定着部材の保温性が高められると共に、定着動作時に発生した揮発性有機化合物等の異物が、送風される空気によって循環されて、定着用ハウジング等の内面側に設けられた反射部材の面に付着するのが防止されるようになる。
【００２０】
この結果、本発明の定着装置においては、反射部材により加熱定着部材の保温性が高められると共に、定着用ハウジング等の内面側に設けられた反射部材の面に揮発性有機化合物等の異物が付着するのが抑制されて、加熱定着部材の保温性がさらに向上され、定着装置の消費電力をさらに効率よく低減できるようになる。
【図面の簡単な説明】
【００２１】
【図１】本発明の実施形態に係る第１の定着装置を使用した画像形成装置を用いて画像形成を行う例を示した概略説明図である。
【図２】前記の第１の定着装置を使用する状態を示した概略説明図である。
【図３】本発明の実施形態に係る第２の定着装置を使用する状態を示した概略説明図である。
【発明を実施するための形態】
【００２２】
本発明の実施形態に係る定着装置及び画像形成装置について図面を参照しながら具体的に説明する。なお、本発明に係る定着装置及び画像形成装置は、下記の実施形態に示したものに限定されず、その要旨を変更しない範囲において適宜変更して実施できるものである。
【００２３】
ここで、本発明の実施形態に係る画像形成装置１０においては、図１に示すように、回転する感光体１１の表面を帯電装置１２によって帯電させ、このように帯電された感光体１１の表面に対して、露光装置１３により画像情報に応じた露光を行って、前記の感光体１１の表面に静電潜像を形成するようにしている。
【００２４】
ここで、前記の帯電装置１２としては、スコロトロン方式の帯電装置を用いているが、ローラー状の帯電部材、ブレード状の帯電部材、ブラシ状の帯電部材等を用いたものであってもよい。また、前記の露光装置１３の光源としては、オン・オフ可能なレーザーやＬＥＤなどを用いることができる。
【００２５】
そして、前記のように感光体１１の表面に形成された静電潜像の部分に現像装置１４からトナーを供給して、感光体１１の表面に静電潜像に対応したトナー画像を形成するようにしている。
【００２６】
次いで、このように感光体１１の表面に形成されたトナー画像を、転写ローラーを用いた転写装置１３の位置に導くと共に、この感光体１１と転写装置１３との間に記録媒体Ｓを導き、前記の転写装置１３に転写バイアス電源（図示せず）から転写バイアス電圧を印加させて、感光体１１の表面に形成されたトナー画像を記録媒体Ｓに転写させるようにしている。
【００２７】
そして、このようにトナー画像を記録媒体Ｓに転写させた後の感光体１１をクリーニング装置１６に導き、記録媒体Ｓに転写されずに感光体１１の表面に残ったトナー等の残留物を、クリーニング装置１６に設けられたクリーニングブレードからなるクリーニング部材１６ａにより感光体１１の表面から除去させるようにしている。
【００２８】
また、前記のようにトナー画像が転写された記録媒体Ｓを定着装置２０に導き、この定着装置２０に設けられた加熱定着部材２１と、この加熱定着部材２１と対向して設けられた加圧部材２２との間で、トナー画像が転写された記録媒体Ｓを加熱・加圧させて、トナー画像を記録媒体Ｓに定着させるようにしている。
【００２９】
ここで、図１及び図２に示す第１の定着装置２０Ａ（２０）においては、前記の加圧部材２２として、回転駆動される加圧ローラー２２を用いると共に、前記の加熱定着部材２１として、内部にハロゲンヒーター等の加熱装置２１ａが設けられた加熱ローラー２１ｂと、前記の加圧ローラー２２に押圧させる定着用ローラー２１ｃとの間に無端状の定着ベルト２１ｄを架け渡したものを用いている。
【００３０】
そして、前記の加圧ローラー２２の回転に伴って、前記の定着用ローラー２１ｃを介して定着ベルト２１ｄを回転駆動させ、加熱ローラー２１ｂにより加熱された定着ベルト２１ｄと前記の加圧ローラー２２との間で、トナー画像が転写された記録媒体Ｓを加熱・加圧させて、トナー画像を記録媒体Ｓに定着させるようにしている。
【００３１】
ここで、前記の加圧ローラー２２や定着用ローラー２１ｃとしては、トナー画像が転写された記録媒体Ｓが、前記の加圧ローラー２２と定着用ローラー２１ｃを介して押圧される定着ベルト２１ｄとの間で十分にニップされるようにするため、弾性ローラーやスポンジローラー等を用いることができる。また、前記の加熱装置２１ａは、ハロゲンヒーターに限られず、ＩＨヒーター、マイクロ波ヒーター等の公知の加熱装置を用いることができ、また図示していないが、このような加熱装置を加熱ローラーの外部に設けるようにすることもできる。
【００３２】
また、この第１の定着装置２０Ａにおいては、加熱定着部材２１として、加熱装置２１ａが設けられた加熱ローラー２１ｂと定着用ローラー２１ｃとの間に無端状の定着ベルト２１ｄを架け渡したものを用いるようにしたが、加熱定着部材２１はこのようなものに限定されず、図示していないが、内部に加熱装置が設けられた加熱定着ローラーだけで構成されたものを用いるようにすることもできる。
【００３３】
そして、前記の第１の定着装置２０Ａにおいては、加熱ローラー２１ｂと定着用ローラー２１ｃとの間に定着ベルト２１ｄを架け渡した加熱定着部材２１の外周側に、加熱定着部材２１と所要間隔を介して沿うように定着用ハウジング２３を設けると共に、前記の加熱定着部材２１と対面する定着用ハウジング２３の内面側に反射部材２３ａを設け、前記の加熱定着部材２１から放出された熱を、この反射部材２３ａにより反射させて、加熱定着部材２１の保温性を高めるようにしている。
【００３４】
また、前記の加圧ローラー２２の外周側にも、加圧ローラー２２と所要間隔を介して沿うように加圧部材側ハウジング２４を設けると共に、加圧ローラー２２と対面する加圧部材側ハウジング２４の内面側に反射部材２４ａを設け、加圧ローラー２２からの熱をこの反射部材２４ａにより反射させて、加圧ローラー２２の保温性を高めるようにしている。
【００３５】
ここで、前記の定着用ハウジング２３や加圧部材側ハウジング２４には、一般に、厚みが０．８ｍｍ程度の板金を加工したものが用いられる。また、定着用ハウジング２３の内面側に設ける反射部材２３ａや加圧部材側ハウジング２４の内面側に設ける反射部材２４ａには、Ａｌ、Ｆｅ、Ｃｕ、Ａｇ、Ａｕ等の金属膜や、誘電体多層膜等を用いることができるが、製造コストの面からＡｌやＦｅの金属膜を用いることが好ましい。
【００３６】
また、前記のように内面側に反射部材２３ａが設けられた定着用ハウジング２３を、加熱定着部材２１と所要間隔を介して沿うように設けると共に、内面側に反射部材２４ａが設けられた加圧部材側ハウジング２４を、加圧ローラー２２と所要間隔を介して沿うように設けるにあたっては、加熱定着部材２１や加圧ローラー２２の熱が、定着用ハウジング２３における反射部材２３ａや加圧部材側ハウジング２４における反射部材２４ａにより適切に反射されて、加熱定着部材２１や加圧ローラー２２における保温性が適切に高められるようにするため、例えば、加熱定着部材２１や加圧ローラー２２の温度が１８０〜２００℃である場合には、定着用ハウジング２３における反射部材２３ａと加熱定着部材２１との間隔や、加圧部材側ハウジング２４における反射部材２４ａと加圧ローラー２２との間隔を７ｍｍ程度にすることが好ましい。
【００３７】
そして、前記の第１の定着装置２０Ａにおいては、前記の定着用ハウジング２３と加熱定着部材２１との空間部にファン等を用いた送風装置２５を設け、この送風装置２５により空気を送風させ、この空気を前記の定着用ハウジング２３と加熱定着部材２１との間の定着側循環部２６ａと、前記の加圧部材側ハウジング２４と加圧ローラー２２との間の加圧側循環部２６ｂとで構成される循環路２６を通して循環させるようにしている。
【００３８】
また、第１の定着装置２０Ａにおいては、前記のように定着用ハウジング２３を加熱定着部材２１と所要間隔を介して沿うように設けると共に、加圧部材側ハウジング２４を加圧ローラー２２と所要間隔を介して沿うように設けているため、送風装置２５によって送風された空気が、前記の定着側循環部２６ａ及び加圧側循環部２６ｂを通して適切に循環されるようなると共に、前記の定着用ハウジング２３と加熱定着部材２１との間の定着側循環部２６ａにおいては、送風装置２５によって送風される空気が、前記の加熱定着部材２１における定着ベルト２１ｄの移動方向に沿って流れて、空気が定着側循環部２６ａにおいてより適切に循環されるようになる。
【００３９】
そして、前記のように送風装置２５により空気を送風させて、この空気を前記の定着側循環部２６ａと加圧側循環部２６ｂとで構成される循環路２６を通して循環させるようにすると、トナー画像を記録媒体Ｓに定着させる際に発生した揮発性有機化合物、超微粒子、トナー粉、紙粉等の異物が、前記の空気に伴って前記の循環路２６を通して循環され、これらの異物が定着用ハウジング２３の内面側における反射部材２３ａや、加圧部材側ハウジング２４の内面側における反射部材２４ａに付着するのが防止される。
【００４０】
この結果、この第１の定着装置２０Ａにおいては、前記の異物が、定着用ハウジング２３の内面側における反射部材２３ａや、加圧部材側ハウジング２４の内面側における反射部材２４ａに付着するのが防止されて、加熱定着部材２１や加圧ローラー２２から放出された熱が前記の異物に吸熱させるのが防止され、加熱定着部材２１や加圧ローラー２２から放出された熱が前記の各反射部材２３ａ，２４ａにより適切に反射されて、加熱定着部材２１や加圧ローラー２２の保温性が十分に向上されると共に、定着装置２０Ａ全体としての消費電力を効率よく低減させることができるようになる。
【００４１】
次に、図３に示す第２の定着装置２０Ｂ（２０）について説明する。
【００４２】
ここで、この第２の定着装置２０Ｂにおいても、前記の第１の定着装置２０Ａと同様に、加熱ローラー２１ｂと定着用ローラー２１ｃとの間に定着ベルト２１ｄを架け渡した加熱定着部材２１の外周側に、加熱定着部材２１と所要間隔を介して沿うように定着用ハウジング２３を設けると共に、前記の加熱定着部材２１と対面する定着用ハウジング２３の内面側に反射部材２３ａを設け、前記の加熱定着部材２１から放出された熱を、この反射部材２３ａにより反射させて、加熱定着部材２１の保温性を高めるようにしている。
【００４３】
一方、この第２の定着装置２０Ｂにおいては、前記の第１の定着装置２０Ａと異なり、加圧ローラー２２の外周側に加圧部材側ハウジング２４を設けないようにする一方、前記の定着用ハウジング２３の外周側を覆うようにして、断面四角環状になった外周側ハウジング２７を設け、この外周側ハウジング２７の内面側に反射部材２７ａを設け、定着用ハウジング２３からの熱をこの反射部材２７ａにより反射させて、定着用ハウジング２３と前記の外周側ハウジング２７との間の保温性を高めるようにしている。
【００４４】
そして、この第２の定着装置２０Ｂにおいては、この外周側ハウジング２７と前記の定着用ハウジング２３との空間部にファン等を用いた送風装置２５を設け、この送風装置２５により空気を送風させ、この空気を外周側ハウジング２７と定着用ハウジング２３との間の外周側循環部２６ｃと前記の定着用ハウジング２３と加熱定着部材２１との間の定着側循環部２６ａとで構成される循環路２６を通して循環させるようにしている。
【００４５】
ここで、この第２の定着装置２０Ｂにおいては、前記の送風装置２５により送風された空気が、外周側循環部２６ｃから定着用ハウジング２３の内周側における定着側循環部２６ａに導かれ、この定着側循環部２６ａを通過して外周側循環部２６ｃに戻されて循環されるようになっている。
【００４６】
そして、この第２の定着装置２０Ｂにおいては、前記のように空気が定着側循環部２６ａを通過して外周側循環部２６ｃに戻される部分において、外周側ハウジング２７と定着用ハウジング２３との間隔が大きくなった位置に、定着時に発生した前記の揮発性有機化合物等の異物を回収するフィルター部材２８を設けると共に、このフィルター部材２８よりも上流側の位置に、定着側循環部２６ａから外周側循環部２６ｃに戻されてきた空気を前記のフィルター部材２８に導く案内部材２９を設ける一方、前記のフィルター部材２８よりも下流側の位置に、外周側循環部２６ｃを流れる空気の一部を外部に排気させる排気装置３０を設けている。
【００４７】
そして、この第２の定着装置２０Ｂにおいて、前記のように送風装置２５により送風された空気が、外周側循環部２６ｃから定着用ハウジング２３の内周側における定着側循環部２６ａに導かれ、この定着側循環部２６ａを通過して外周側循環部２６ｃに戻されると、この空気が前記の案内部材２９により案内されて前記のフィルター部材２８に導かれ、この空気に含まれている揮発性有機化合物等の異物がフィルター部材２８によって回収されて除去されるようになる。
【００４８】
ここで、この第２の定着装置２０Ｂにおいては、フィルター部材２８を前記のように外周側ハウジング２７と定着用ハウジング２３との間隔が大きくなった位置に設けているため、このフィルター部材２８に導かれる空気の流速が遅くなり、空気に含まれている揮発性有機化合物等の異物がこのフィルター部材２８によって適切に除去されるようになる。
【００４９】
そして、前記のようにフィルター部材２８によって、空気に含まれている揮発性有機化合物等の異物を除去させた後、この空気を前記のように外周側循環部２６ｃと定着側循環部２６ａとで構成される循環路２６を通して循環させると共に、この空気の一部を前記の排気装置３０により循環路２６から外部に排気させるようにしている。
【００５０】
この結果、この第２の定着装置２０Ｂにおいては、定着時に発生した揮発性有機化合物等の異物が、定着用ハウジング２３の内面側における反射部材２３ａや外周側ハウジング２７の内面側における反射部材２７ａに付着するのが防止され、加熱定着部材２１から放出された熱や定着用ハウジング２３の外周側の熱が前記の異物に吸熱させるのが防止され、加熱定着部材２１から放出された熱や定着用ハウジング２３の外周側の熱が、前記の各反射部材２３ａ，２７ａにより適切に反射されて、加熱定着部材２１や定着用ハウジング２３の保温性が十分に向上され、前記の第１の定着装置２０Ａと同様に、定着装置２０Ｂ全体としての消費電力を効率よく低減させることができるようになる。
【符号の説明】
【００５１】
１０  画像形成装置
１１  感光体
１２  帯電装置
１３  露光装置
１４  現像装置
１５  転写装置
１６  クリーニング装置、１６ａ  クリーニング部材
２０，２０Ａ，２０Ｂ  定着装置
２１  加熱定着部材、２１ａ  加熱装置、２１ｂ  加熱ローラー、２１ｃ  定着用ローラー、２１ｄ  定着ベルト
２２  加圧部材（加圧ローラー）
２３  定着用ハウジング、２３ａ  反射部材
２４  加圧部材側ハウジング、２４ａ  反射部材
２５  送風装置
２６  循環路、２６ａ  定着側循環部、２６ｂ  加圧側循環部、２６ｃ  外周側循環部
２７  外周側ハウジング、２７ａ  反射部材
２８  フィルター部材
２９  案内部材
３０  排気装置
Ｓ  記録媒体
【図１】
2016224336.tif 000003
【図２】
2016224336.tif 000004
【図３】
2016224336.tif 000005